【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
光電変換を行う光電変換素子を含む複数の画素と、
前記複数の画素の信号が出力される信号線と、
前記信号線に定電流を流すための第１の定電流回路と、
定電流を流すための第２の定電流回路とを有し、
前記第１の定電流回路は、
ドレイン端子又はコレクタ端子が前記信号線に接続される第１のトランジスタと、
前記第１のトランジスタのソース端子又はエミッタ端子と基準電位ノードとの間に接続される第１の抵抗と、
ドレイン端子又はコレクタ端子が前記信号線に接続され、ソース端子又はエミッタ端子が前記第１のトランジスタのドレイン端子又はコレクタ端子に接続される第３のトランジスタとを有し、
前記第２の定電流回路は、
ゲート端子又はベース端子が前記第１のトランジスタのゲート端子又はベース端子に接続される第２のトランジスタと、
前記第２のトランジスタのソース端子又はエミッタ端子と基準電位ノードとの間に接続される第２の抵抗と、
ゲート端子又はベース端子が前記第３のトランジスタのゲート端子又はベース端子に接続され、ソース端子又はエミッタ端子が前記第２のトランジスタのドレイン端子又はコレクタ端子に接続される第４のトランジスタと、
前記第２のトランジスタのゲート端子又はベース端子及び前記第４のトランジスタのドレイン端子又はコレクタ端子に接続される第１の定電流源とを有することを特徴とする固体撮像装置。
【請求項２】
前記第２の定電流回路を流れる電流は、前記第１の定電流回路を流れる電流のＭ倍であり、
前記第２の抵抗の値は、前記第１の抵抗の値の１／Ｍ倍であることを特徴とする請求項１記載の固体撮像装置。
【請求項３】
さらに、前記第４のトランジスタのゲート端子又はベース端子に接続される定電圧源を有することを特徴とする請求項１又は２記載の固体撮像装置。
【請求項４】
さらに、第２の定電流源と、
ドレイン端子又はコレクタ端子が前記第２の定電流源に接続され、ゲート端子又はベース端子が前記第２の定電流源及び前記第４のトランジスタのゲート端子又はベース端子に接続される第５のトランジスタと、
前記第５のトランジスタのソース端子又はベース端子と前記基準電位ノードとの間に接続される第３の抵抗とを有することを特徴とする請求項１〜３のいずれか１項に記載の固体撮像装置。
【請求項５】
前記複数の画素は、行列状に配列され、
前記信号線は、前記複数の画素の列毎に接続される複数の信号線であり、
前記第１のトランジスタは、前記複数の信号線にそれぞれ接続される複数の第１のトランジスタであり、
前記複数の第１のトランジスタは、ソース端子又はエミッタ端子が相互に接続され、
前記第１の抵抗は、前記相互に接続されたソース端子又はエミッタ端子と前記基準電位ノードとの間に接続されることを特徴とする請求項１〜４のいずれか１項に記載の固体撮像装置。
【請求項６】
光電変換を行う光電変換素子を含む複数の画素と、
前記複数の画素の信号が出力される信号線と、
前記信号線に定電流を流すための第１の定電流回路と、
定電流を流すための第２の定電流回路とを有し、
前記第１の定電流回路は、
ドレイン端子又はコレクタ端子が前記信号線に接続される第１のトランジスタと、
前記第１のトランジスタのソース端子又はエミッタ端子と基準電位ノードとの間に接続される第１の抵抗とを有し、
前記第２の定電流回路は、
ゲート端子又はベース端子が前記第１のトランジスタのゲート端子又はベース端子に接続される第２のトランジスタと、
前記第２のトランジスタのソース端子又はエミッタ端子と基準電位ノードとの間に接続される第２の抵抗と、
前記第２のトランジスタのドレイン端子又はコレクタ端子及びゲート端子又はベース端子に接続される第１の定電流源とを有することを特徴とする固体撮像装置。
【請求項７】
光電変換を行う光電変換素子を含む複数の画素と、
前記複数の画素の信号が出力される信号線と、
前記信号線に定電流を流すための第１の定電流回路と、
定電流を流すための第２の定電流回路とを有し、
前記第１の定電流回路は、
ドレイン端子又はコレクタ端子が前記信号線に接続される第１のトランジスタと、
前記第１のトランジスタのソース端子又はエミッタ端子と基準電位ノードとの間に接続される第１の抵抗と、
ドレイン端子又はコレクタ端子が前記信号線に接続され、ソース端子又はエミッタ端子が前記第１のトランジスタのドレイン端子又はコレクタ端子に接続される第３のトランジスタとを有し、
前記第２の定電流回路は、
ゲート端子又はベース端子が前記第１のトランジスタのゲート端子又はベース端子に接続される第２のトランジスタと、
前記第２のトランジスタのソース端子又はエミッタ端子と基準電位ノードとの間に接続される第２の抵抗と、
ゲート端子又はベース端子が前記第３のトランジスタのゲート端子又はベース端子に接続され、ソース端子又はエミッタ端子が前記第２のトランジスタのドレイン端子又はコレクタ端子及びゲート端子又はベース端子に接続される第４のトランジスタと、
前記第４のトランジスタのゲート端子又はベース端子及びドレイン端子又はコレクタ端子に接続される第１の定電流源とを有することを特徴とする固体撮像装置。
【請求項８】
光電変換を行う光電変換素子を含む複数の画素と、
前記複数の画素の信号を増幅するアンプと、
前記アンプに定電流を流すための第１の定電流回路と、
定電流を流すための第２の定電流回路とを有し、
前記第１の定電流回路は、
ドレイン端子又はコレクタ端子が前記アンプに接続される第１のトランジスタと、
前記第１のトランジスタのソース端子又はエミッタ端子と基準電位ノードとの間に接続される第１の抵抗と、
ドレイン端子又はコレクタ端子が前記アンプに接続され、ソース端子又はエミッタ端子が前記第１のトランジスタのドレイン端子又はコレクタ端子に接続される第３のトランジスタとを有し、
前記第２の定電流回路は、
ゲート端子又はベース端子が前記第１のトランジスタのゲート端子又はベース端子に接続される第２のトランジスタと、
前記第２のトランジスタのソース端子又はエミッタ端子と基準電位ノードとの間に接続される第２の抵抗と、
ゲート端子又はベース端子が前記第３のトランジスタのゲート端子又はベース端子に接続され、ソース端子又はエミッタ端子が前記第２のトランジスタのドレイン端子又はコレクタ端子に接続される第４のトランジスタと、
前記第２のトランジスタのゲート端子又はベース端子及び前記第４のトランジスタのドレイン端子又はコレクタ端子に接続される第１の定電流源とを有することを特徴とする固体撮像装置。
【請求項９】
前記第２の定電流回路を流れる電流は、前記第１の定電流回路を流れる電流のＭ倍であり、
前記第２の抵抗の値は、前記第１の抵抗の値の１／Ｍ倍であることを特徴とする請求項８記載の固体撮像装置。
【請求項１０】
さらに、前記第４のトランジスタのゲート端子又はベース端子に接続される定電圧源を有することを特徴とする請求項８又は９記載の固体撮像装置。
【請求項１１】
さらに、第２の定電流源と、
ドレイン端子又はコレクタ端子が前記第２の定電流源に接続され、ゲート端子又はベース端子が前記第２の定電流源及び前記第４のトランジスタのゲート端子又はベース端子に接続される第５のトランジスタと、
前記第５のトランジスタのソース端子又はベース端子と前記基準電位ノードとの間に接続される第３の抵抗とを有することを特徴とする請求項８〜１０のいずれか１項に記載の固体撮像装置。
【請求項１２】
前記複数の画素は、行列状に配列され、
前記アンプは、前記複数の画素の列毎に接続される複数のアンプであり、
前記第１のトランジスタは、前記複数のアンプにそれぞれ接続される複数の第１のトランジスタであり、
前記複数の第１のトランジスタは、ソース端子又はエミッタ端子が相互に接続され、
前記第１の抵抗は、前記相互に接続されたソース端子又はエミッタ端子と前記基準電位ノードとの間に接続されることを特徴とする請求項８〜１１のいずれか１項に記載の固体撮像装置。
【請求項１３】
光電変換を行う光電変換素子を含む複数の画素と、
前記複数の画素の信号を増幅するアンプと、
前記アンプに定電流を流すための第１の定電流回路と、
定電流を流すための第２の定電流回路とを有し、
前記第１の定電流回路は、
ドレイン端子又はコレクタ端子が前記アンプに接続される第１のトランジスタと、
前記第１のトランジスタのソース端子又はエミッタ端子と基準電位ノードとの間に接続される第１の抵抗とを有し、
前記第２の定電流回路は、
ゲート端子又はベース端子が前記第１のトランジスタのゲート端子又はベース端子に接続される第２のトランジスタと、
前記第２のトランジスタのソース端子又はエミッタ端子と基準電位ノードとの間に接続される第２の抵抗と、
前記第２のトランジスタのドレイン端子又はコレクタ端子及びゲート端子又はベース端子に接続される第１の定電流源とを有することを特徴とする固体撮像装置。
【請求項１４】
光電変換を行う光電変換素子を含む複数の画素と、
前記複数の画素の信号を増幅するアンプと、
前記アンプに定電流を流すための第１の定電流回路と、
定電流を流すための第２の定電流回路とを有し、
前記第１の定電流回路は、
ドレイン端子又はコレクタ端子が前記アンプに接続される第１のトランジスタと、
前記第１のトランジスタのソース端子又はエミッタ端子と基準電位ノードとの間に接続される第１の抵抗と、
ドレイン端子又はコレクタ端子が前記アンプに接続され、ソース端子又はエミッタ端子が前記第１のトランジスタのドレイン端子又はコレクタ端子に接続される第３のトランジスタとを有し、
前記第２の定電流回路は、
ゲート端子又はベース端子が前記第１のトランジスタのゲート端子又はベース端子に接続される第２のトランジスタと、
前記第２のトランジスタのソース端子又はエミッタ端子と基準電位ノードとの間に接続される第２の抵抗と、
ゲート端子又はベース端子が前記第３のトランジスタのゲート端子又はベース端子に接続され、ソース端子又はエミッタ端子が前記第２のトランジスタのドレイン端子又はコレクタ端子及びゲート端子又はベース端子に接続される第４のトランジスタと、
前記第４のトランジスタのゲート端子又はベース端子及びドレイン端子又はコレクタ端子に接続される第１の定電流源とを有することを特徴とする固体撮像装置。
【手続補正２】
【補正対象書類名】明細書
【補正対象項目名】０００８
【補正方法】変更
【補正の内容】
【０００８】
本発明の固体撮像装置は、光電変換を行う光電変換素子を含む複数の画素と、前記複数の画素の信号が出力される信号線と、前記信号線に定電流を流すための第１の定電流回路と、定電流を流すための第２の定電流回路とを有し、前記第１の定電流回路は、ドレイン端子又はコレクタ端子が前記信号線に接続される第１のトランジスタと、前記第１のトランジスタのソース端子又はエミッタ端子と基準電位ノードとの間に接続される第１の抵抗と、ドレイン端子又はコレクタ端子が前記信号線に接続され、ソース端子又はエミッタ端子が前記第１のトランジスタのドレイン端子又はコレクタ端子に接続される第３のトランジスタとを有し、前記第２の定電流回路は、ゲート端子又はベース端子が前記第１のトランジスタのゲート端子又はベース端子に接続される第２のトランジスタと、前記第２のトランジスタのソース端子又はエミッタ端子と基準電位ノードとの間に接続される第２の抵抗と、ゲート端子又はベース端子が前記第３のトランジスタのゲート端子又はベース端子に接続され、ソース端子又はエミッタ端子が前記第２のトランジスタのドレイン端子又はコレクタ端子に接続される第４のトランジスタと、前記第２のトランジスタのゲート端子又はベース端子及び前記第４のトランジスタのドレイン端子又はコレクタ端子に接続される第１の定電流源とを有することを特徴とする。